(57)【要約】      （修正有）【課題】必要以上にタブレットが飛び出すことがなく、また、傾けるもしくは振る行為のみで１個ずつタブレットを取り出すことのできる構成の簡単なタブレットケースを提供する。【解決手段】タブレットケースは収納体１０と蓋体とを備え、収納体は内部にスライド部１４、第一、第二のガイド壁１６−１、２を有する。スライド部は、排出口１２’から収納体の内部の底面１０’に向かう方向に下って延びている。第一のガイド壁は、排出口に隣接する収納体の前壁１０Ｗ−１に沿って、排出口まで延びている。第二のガイド壁は、第一のガイド壁に対向する後壁１０Ｗ−２から、排出口まで延びている。収納体の内部のタブレット３０は、第一、第二のガイド壁にガイドされて排出部に向かって移動し、さらにスライド部上を滑らかに移動して排出口から外部に排出される。【選択図】図２
0003224985.tif 000002
【実用新案登録請求の範囲】
【請求項１】
板状の底面と、前記底面の縁部から垂直に立設される壁面と、前記壁面に囲まれた開口とを有し、前記底面および前記壁面により形成された空間の内部にタブレットを収納可能とする収納体と、
前記収納体の前記開口を覆うとともに、前記収納体に対して相対的に摺動して前記開口を開放可能とする蓋体と、
を備えるタブレットケースであって、
前記収納体の前記開口の一部は排出口とされ、前記蓋体を摺動し前記排出口を開放して、前記収納体の内部に収納したタブレットを前記排出口から外部に排出可能とし、
前記収納体はその内部にスライド部、第一、第二のガイド壁を有し、
前記スライド部は、前記排出口から前記収納体の内部の底面に向かう方向に下って延びて形成され、
前記第一のガイド壁は、前記排出口に隣接する前記収納体の壁面に沿って、前記排出口まで延びて形成され、
前記第二のガイド壁は、前記第一のガイド壁に対向する位置に、前記排出口まで延びて形成されているタブレットケース。
【請求項２】
前記排出口を有する領域は、前記タブレット１個を配置可能な大きさとされているタブレットケース。
【請求項３】
前記第一のガイド壁は、平面視で、滑らかな凹部および凸部を繰り返す波型形状に形成され、
前記凹部は前記タブレットに対応する形状に形成されている請求項１または２記載のタブレットケース。
【考案の詳細な説明】
【技術分野】
【０００１】
本考案は、錠剤型の固形菓子（錠菓）であるタブレットを収納するタブレットケースに関する。
【背景技術】
【０００２】
近年、錠剤型の固形菓子である錠菓が特に「タブレット」と呼ばれ、多数流通している。代表的なタブレットとしてミント味のものがあり、ミント味のタブレットをその収納された小型のタブレットケースを傾けるもしくは振ることにより、タブレットケースの排出口からタブレットを排出することができる。このように、簡単な動作でタブレットを取り出し、手軽に清涼感を得たり口臭を予防することができる。
【０００３】
一般的なタブレットケースは、上部が開口した箱型形状であり、その内部にタブレットを収納可能とする収納体と、収納体の開口を覆うとともに、収納体に対して相対的に摺動して開口を開放可能とする蓋体と、を備えている。タブレットは、収納体の内部に点在して収納されている。
収納体の開口の一部は、タブレットを排出する排出口とされている。蓋体を摺動して排出口を開放し、排出口が下になるようにタブレットケースを傾けるもしくは振ることで、収納体の内部に点在するタブレットを排出口に移動させ、排出口から外部に排出される（取り出される）。
【０００４】
しかし、タブレットケースからタブレットを排出する際に、排出口からタブレットが想定よりも多く飛び出すことがある。そのため、タブレットケースから必要以上にタブレットが飛び出さない、好ましくはタブレットを１個ずつ取り出せるようにした構成が知られている（たとえば、特開２０１０−１４３６１０号公報、特開２０１８−０３４８３０号公報）。
【０００５】
特開２０１０−１４３６１０号公報には、タブレットを収納する収納体が、その排出口周囲に第一、第二のガイドリブを備える構成が開示されている。
第一、第二のガイドリブはそれぞれ対向して位置している。第一、第二のガイドリブに挟まれた間がタブレットの経路となり、その間をタブレットが通過することでタブレットがガイド（誘導）される。経路の終端には排出口が形成され、タブレットは経路を通過して終端の排出口からタブレットケースの外部に排出される。また、第二のガイドリブの一部は、断面円形形状のタブレットに対応する部分円弧形状の保持部を２カ所有するように形成されている。
【０００６】
特開２０１８−０３４８３０号公報には、上方に向かうにつれて上部が先細りとなる円筒形状のタブレットケースにおいて、その上端にタブレットを排出する排出口が、タブレットケースの内部から排出口に向かう経路がそれぞれ形成され、経路にタブレットの排出を制限する球状体を有する構成が開示されている。
【先行技術文献】
【特許文献】
【０００７】
【特許文献１】特開２０１０−１４３６１０号公報
【特許文献２】特開２０１８−０３４８３０号公報
【考案の概要】
【考案が解決しようとする課題】
【０００８】
特開２０１０−１４３６１０号公報では、タブレットケースを傾けるもしくは振ると、１個のタブレットが第一、第二のガイドリブの間の経路を通過し、それから第二のガイドリブの保持部と第一のガイドリブとの間に一時的に挟持される。さらにタブレットケースを傾けるもしくは振ると、１個のタブレットが第二のガイドリブの保持部と第一のガイドリブとの挟持から離反し、排出口からタブレットケースの外部へ排出される。
タブレットを排出する際には蓋体を摺動して排出口を開放させるが、排出口以外の収納体の内部は蓋体に覆い隠され、当然に視認することはできない。また、第一、第二のガイドリブの間は１個のタブレットの直径程度の間隔しかない。そのため、収納体の内部を視認せず、タブレットケースを傾けるもしくは振る動作のみで１個のタブレットを第一、第二のガイドリブの間の経路に配置、通過させることは難しい。実際には複数回タブレットケースを傾けるかもしくは振らなければ、経路を介して１個のタブレットを排出口から排出することは難しい。
【０００９】
特開２０１８−０３４８３０号公報では、球状体が経路の幅を狭めることで経路を通過するタブレットの排出が一旦制限され、タブレットの不要な飛び出しが防止される。
しかし、球状体はタブレットケースに対して小さく形成され、球状体を含むタブレットケースの構成は複雑である。
【００１０】
本考案は、タブレットケースから必要以上にタブレットが飛び出すことがなく、また、タブレットケースを傾けるもしくは振る行為のみで１個ずつタブレットを取り出すことのできる構成の簡単なタブレットケースを目的としている。
【課題を解決するための手段】
【００１１】
上記目的を達成するために、本考案ではタブレットを排出口へガイドするスライド部、第一、第二のガイド壁を備えている。
すなわち、請求項１に係る本考案によれば、板状の底面と、前記底面の縁部から垂直に立設される壁面と、前記壁面に囲まれた開口とを有し、前記底面および前記壁面により形成された空間の内部にタブレットを収納可能とする収納体と、前記収納体の前記開口を覆うとともに、前記収納体に対して相対的に摺動して前記開口を開放可能とする蓋体と、を備えるタブレットケースであって、前記収納体の前記開口の一部は排出口とされ、前記蓋体を摺動し前記排出口を開放して、前記収納体の内部に収納したタブレットを前記排出口から外部に排出可能とし、前記収納体はその内部にスライド部、第一、第二のガイド壁を有し、前記スライド部は、前記排出口から前記収納体の内部の底面に向かう方向に下って延びて形成され、前記第一のガイド壁は、前記排出口に隣接する前記収納体の壁面に沿って、前記排出口まで延びて形成され、前記第二のガイド壁は、前記第一のガイド壁に対向する位置に、前記排出口まで延びて形成されている。
【考案の効果】
【００１２】
請求項１に係る本考案では、収納体の内部に点在するタブレットが、収納体の内部の第一、第二のガイド壁により集約され、排出口へガイド（誘導）される。そして、第一、第二のガイド壁によりガイドされたタブレットは、排出口の手前に位置するスライド部によりさらに排出口の外部へガイド（誘導）される。そのため、簡単な構成で、タブレットケースから必要以上にタブレットが飛び出すことを防止することができる。
【図面の簡単な説明】
【００１３】
【図１】本考案のタブレットケースの斜視図を示す。
【図２】（Ａ）は本考案のタブレットケースに係る収納体およびタブレットの平面図、（Ｂ）は（Ａ）の線Ｂ−Ｂに沿った収納体およびタブレットの断面図をそれぞれ示す。
【考案を実施するための形態】
【００１４】
板状の底面と、前記底面の縁部から垂直に立設される壁面と、前記壁面に囲まれた開口とを有し、前記底面および前記壁面により形成された空間の内部にタブレットを収納可能とする収納体と、前記収納体の前記開口を覆うとともに、前記収納体に対して相対的に摺動して前記開口を開放可能とする蓋体と、を備えるタブレットケースであって、前記収納体の前記開口の一部は排出口とされ、前記蓋体を摺動し前記排出口を開放して、前記収納体の内部に収納したタブレットを前記排出口から外部に排出可能とし、前記収納体はその内部にスライド部、第一、第二のガイド壁を有し、前記スライド部は、前記排出口から前記収納体の内部の底面に向かう方向に下って延びて形成され、前記第一のガイド壁は、前記排出口に隣接する前記収納体の壁面に沿って、前記排出口まで延びて形成され、前記第二のガイド壁は、前記第一のガイド壁に対向する位置に、前記排出口まで延びて形成されている。
【実施例】
【００１５】
以下、図面を参照しながら本考案の実施例を詳細に説明する。図１は、本考案のタブレットケースの斜視図を示す。図２（Ａ）は本考案のタブレットケースに係る収納体およびタブレットの平面図、（Ｂ）は（Ａ）の線Ｂ−Ｂに沿った収納体およびタブレットの断面図をそれぞれ示す。
上下前後左右は、図面に示すように適宜Ｕｐ、Ｌｗ、Ｆｒ、Ｒｒ、Ｌ、Ｒで示す。
【００１６】
図１に示すように、タブレットケース１は、収納体１０と、蓋体２０とを備えて構成され、その内部にタブレット３０（３０Ａ−１、２および３０Ｂ）を収納している。
収納体１０は、板状の底面１０’と、底面の縁部から垂直に立設される壁面１０Ｗ−１〜４と、壁面に囲まれた開口１２とを有し、底面および壁面により形成された空間１０ａの内部にタブレット３０を収納可能としている。図２（Ａ）（Ｂ）に示すように、収納体１０は、たとえば平面視略矩形形状の板状の底面１０’と、底面の縁部（各辺）から垂直（上方）に向けて延びる４枚の壁面（一対の左右側壁および一対の前後壁）１０Ｗ−１〜４と、底面に対向する上部に壁面に囲まれた開口１２とを有しており、上面の開口したいわゆる箱体とされている。そして、収納体１０は前後左右を４枚の壁１０Ｗ−１〜４で囲まれた内部の空間１０ａに、１または複数のタブレット３０を収納している。
図２（Ｂ）では、４枚の壁のうち正面の壁（前壁）に符号１０Ｗ−１、背面の壁（後壁）に符号１０Ｗ−２、右側面の壁（右側壁）に符号１０Ｗ−３、左側面の壁（左側壁）に符号１０Ｗ−４をそれぞれ付している。しかし、収納体１０の構成はこれに限定されない。なお、後壁１０Ｗ−２の中央部から左前方へ向けて第二のガイド壁１６−２が設けられている。
【００１７】
収納体の内部の左前部には仕切り壁１０Ｗ−４’が設けられ、仕切り壁により収納体の内部の左前角部が狭く仕切られて排出部１０ａ’が形成されている。排出部１０ａ’の上部に相当する開口１２の一部は排出口１２’とされ、排出口からタブレット３０がタブレットケース外部に排出される。
【００１８】
蓋体２０は、収納体１０の開口１２を覆うとともに、収納体に対して相対的に摺動して開口を開放可能としている。蓋体２０はたとえば、収納体１０の開口１２を覆う矩形形状の板状の平面２０’と、平面のうちの３辺、すなわち前後および右側の辺から垂直方向（下方）に向けて延びる３枚の壁２０Ｗ−１〜３を有し、断面略コ字形状に形成されている。
蓋体２０が収納体１０を覆うことにより、収納体の内部の空間１０ａに収納されたタブレット３０が収納体の上部の開口１２から落下することが防止される。蓋体２０を収納体１０に対して相対的に（図２（Ａ）では左から右方向に）摺動して開口１２、より詳細には開口の一部である排出口１２’を開放した後に、排出口（の位置する収納体の左前隅部）が下になるようにタブレットケースを傾けるもしくは振ると、収納体の内部の空間１０ａに収納されたタブレット３０が排出部１０ａ’に移動し、排出口１２’から外部に適切に排出される。
【００１９】
タブレット３０は、たとえば錠菓と呼ばれる錠剤型の固形菓子であり、図２（Ａ）（Ｂ）に示すように、正面視円形形状かつ断面矩形形状のものとされる。しかし、タブレット３０の形状などはこれに限定されない。
図２（Ａ）では、タブレットケースを傾けたり振ることのない通常の状態において、収納体の内部の空間１０ａに収納、点在しているタブレットを符号３０で表している。図２（Ａ）では、収納体の内部の空間１０ａに収納、点在しているタブレット３０が３個ある。
また、タブレットの中でも特に、後述する第一のガイド壁１６−１にガイドされるタブレットを符号３０Ａ−１、第二のガイド壁１６−２にガイドされるタブレットを符号３０Ｂ−１、排出部１０ａ’に移動したタブレットを符号３０Ｂ、排出部の上部開口である排出口１２’から排出されたタブレット（一点鎖線）を符号３０Ｃで、それぞれ表している。
【００２０】
収納体１０は、さらに、その内部１２にスライド部１４、第一、第二のガイド壁１６−１、２を有している。
スライド部１４は、排出口１２’から収納体の内部の底面１０’に向かう方向（図２（Ａ）（Ｂ）では左から右方向に）に下って延びて形成されている。たとえば、スライド部１４の上端（左端）は左側壁１０Ｗ−４の３／４程度の高さに位置し、スライド部はその上端（左端）から右方向になだらかに下って（スライドして）形成されている。言い換えると図２（Ｂ）に示すように、排出口１２’を有する領域である排出部１０ａ’は、スライド部１４によって底上げされており、その空間はタブレット１個を配置可能な大きさとされている。
【００２１】
第一のガイド壁１６−１は、排出口１２’に隣接する収納体の壁面（前壁１０Ｗ−１）に沿って、排出口まで延びて形成されている。第一のガイド壁１６−１は、たとえば、排出口１２’に隣接する収納体の前壁１０Ｗ−１に沿って、平面視で、滑らかな凹部１６−１Ａおよび凸部１６−１Ｂを繰り返す波型形状に形成されている。図２（Ａ）では、凹部１６−１Ａおよび凸部１６−１Ｂは各２回繰り返されている。また、凹部１６−１Ａはタブレット３０に対応する形状、たとえば部分円弧形状に形成されている。
【００２２】
第二のガイド壁１６−２は、第一のガイド壁１６−１に対向する位置に、排出口１２’まで延びて形成されている。第二のガイド壁１６−２は、たとえば、後壁１０Ｗ−２の中央部から排出口１２’へ向かう方向（左前方）へ延びて設けられている。図２（Ａ）では、第一のガイド壁１６−１と異なり、第二のガイド壁１６−２は平面視で直線形状に形成されているが、これに限定されない。たとえば、第一のガイド壁１６−１と同様に、第二のガイド壁１６−２を平面視で滑らかな凹部および凸部を繰り返す波型形状に形成してもよい。
【００２３】
すなわち、第一、第二のガイド壁１６−１、２はいずれも、収納体の内部の空間１０ａに収納されたタブレット３０が、第一、第二のガイド壁に挟まれて排出口１２’（排出部１０ａ’）へ向かうようにガイド可能とすれば足り、形状、位置などはこれに限定されない。図２（Ａ）の一点鎖線の各矢印は、タブレット３０Ａ−１、２が第一、第二のガイド壁１６−１、２によりガイドされる方向をそれぞれ表している。
【００２４】
タブレットケース１からタブレット３０を排出する方法について述べる。
まず、収納体１０上で、蓋体２０を左から右方向にスライドさせ、開口１２の一部である排出口１２’を開放する。そして、排出口１２’の位置する収納体１０の左前隅部（図２（Ａ）参照）が下になるようにタブレットケース１を傾けるもしくは振ると、収納体の内部の空間１０ａに収納、点在していたタブレット３０が下方、すなわち排出部１０ａ’に向かって移動する。
【００２５】
さらにタブレットケース１を傾けるもしくは振ると、前壁１０Ｗ−１に近いタブレットは、符号３０Ａ−１（図２（Ａ）参照）のように第一のガイド壁１６−１に接触し、凹部１６−１Ａに配置される。そして、タブレット３０Ａ−１は、凹部、凸部１６−１Ａ、Ｂを経て、第一のガイド壁１６−１に沿って図２（Ａ）の一点鎖線の矢印で示すように排出部１０ａ’ に向かって移動する。
【００２６】
後壁１０Ｗ−２に近いタブレットは、符号３０Ａ−２（図２（Ａ）参照）のように第二のガイド壁１６−２に接触し、第二のガイド壁に沿って図２（Ａ）の一点鎖線の矢印で示すように排出部１０ａ’ に向かって移動する。
そして、タブレット３０Ａ−１、２は第一、第二のガイド壁１６−１、２にガイドされて図２（Ｂ）の破線で示すように排出部１０ａ’に滑り込み、タブレット３０Ｂのように排出部１０ａ’に１個ずつ一時的に配置される。排出部１０ａ’に配置された１個のタブレット３０Ｂは、スライド部１４上を滑り、図２（Ｂ）のタブレット３０Ｃのようにその上部の排出口１２’から外部へ排出される。図２（Ｂ）の一点鎖線の矢印は、排出部１０ａ’に一時的に配置された１個のタブレット３０Ｂが、排出口１２’から外部（上部）へ排出される方向を表している。
【００２７】
第一、第二のガイド壁１６−１、２は対向して設けられ、さらに排出部１０ａ’に向かうにつれてその間隔が狭くなる逆八の字形状に形成、配置されている。そのため、タブレットケース１を傾けるもしくは振ると、図２（Ａ）のタブレット３０Ａ−１、２のように、タブレットは第一、第二のガイド壁１６−１、２により集約、ガイド（誘導）されて排出部１０ａ’へ向かって移動する。
排出部１０ａ’はスライド部１４により底上げされており、その領域（スペース）が１個のタブレット３０Ｂが配置される程度に狭く限定されている。そのため、タブレットケース１を傾けるもしくは振っても、必要以上に多くのタブレット３０が排出部１０ａ’に入り込むことはない。すなわち、必要以上に多くのタブレット３０が排出口１２’から外部へ排出されることはなく、排出されるタブレットは常に１個、多い場合で２個程度となる。
そして、タブレットケース１の内部にスライド部１４、第一、第二のガイド壁１６−１、２を設けるのみで足り、構成も簡単である。
【００２８】
上記のように本考案によれば、収納体の内部の空間に点在するタブレットが、第一、第二のガイド壁により排出口（排出部）に向かってガイドされる。そして、タブレットは、排出部のスライド部によりさらに排出口へガイドされ、外部に排出される。排出部はスライド部によりタブレット１個分程度の大きさに限定されているため、必要以上に多くのタブレットが排出部に入り込むことはない。すなわち、タブレットケースの外部に排出されるタブレットは常に１、２個程度となる。
【００２９】
上述した実施例（変形例を含む。）は、この考案を説明するためのものであり、この考案を何等限定するものでなく、この考案の技術範囲内で変形、改造等の施されたものも全てこの考案に包含されることはいうまでもない。
【００３０】
たとえば、収納体、蓋体を含むタブレットケースの形状は平面視略矩形形状に限定されず、たとえば平面視楕円形形状などでもよい。
【産業上の利用可能性】
【００３１】
本考案は、錠菓のみならず、タブレット型（錠剤型）の薬品、サプリメント、小型の菓子を収納するタブレットケースに広範囲に利用できる。
【符号の説明】
【００３２】
１          タブレットケース
１０        収納体
１０ａ      空間
１０’      底面
１０Ｗ−１〜４    壁面（一対の左右側壁および一対の前後壁）
１２        開口
１２’      排出口
１４        スライド部
１６−１、２    第一、第二のガイド壁
１６−１Ａ、Ｂ  凹部、凸部
２０        蓋体
３０        タブレット
【図１】
0003224985.tif 000003
【図２】
0003224985.tif 000004